(57)【特許請求の範囲】
【請求項１】
左右に揉み輪を備えたマッサージ装置部が少なくとも上下方向に移動可能なマッサージ機において、マッサージ装置部のサイドフレームの上部および下部のそれぞれ前側と後側に、マッサージ装置部と共に上下動する回転自在なガイドローラーが装備され、マッサージ機本体の上下のフレーム間に、マッサージ機本体の背もたれシートの裏面に沿った弾性ベルトが張設されてその弾性ベルトが上記マッサージ装置部の上部と下部の前後のガイドローラーに掛け渡され、マッサージ装置部の移動にともなって弾性ベルトがマッサージ装置部において背面を迂回するように構成されていることを特徴とするマッサージ機。
【発明の詳細な説明】
【０００１】
【発明の属する技術分野】
本発明は、マッサージ機の背もたれシートの裏面側に身体を支持する弾性ベルトが張設されているマッサージ機に関するものである。
【０００２】
【従来の技術】
マッサージ機としては従来から多種多様なものが知られているが、代表的なものとして椅子型のマッサージ機が挙げられる。この種の従来のマッサージ機は、周知の通り、各種の揉み動作を行う揉み輪を備えたマッサージ装置部が、背もたれ部の背もたれ面に沿って上下動可能に装備され、マッサージ動作を選択するスイッチ制御部を操作することによって、マッサージ装置部を連続的に上下動させて頸部分から腰部分までの間をローリングあるいは揉みながらローリングするというマッサージができ、またマッサージ装置部を所望の位置に停止させて、揉み輪に、揉み、叩き、指圧など選択したマッサージ動作を行わせることができるようになっている。
【０００３】
【発明が解決しようとする課題】
従来のマッサージ機においては、背もたれシートの内側の上下方向にはマッサージ装置部の上下移動を可能とするための移動空間が存在している。したがって、マッサージ装置部が位置していない部分は空洞となっている。そのためマッサージ装置部が位置していない背もたれシート部分は身体の支持力が弱く、マッサージ装置部を上下動させて使用した場合には、マッサージ装置部が通過する都度身体が前後方向に揺動（浮き沈み）し、マッサージ装置部の通過によって身体が沈んだ状態から揉み輪によって揉み作用が加えられることになり、身体に過剰な揉み作用が働いて痛みを与えるばかりでなく、揉み輪への負荷が大きくなって装置部および伝動部に無理を与えることになる。そして上記した不都合は左右の揉み輪間隔を大きくできるように構成するほど顕著となるため、左右の揉み輪の間隔の拡大が制限されていた。
【０００４】
本発明は、従来のマッサージ機における上記した問題点を改善することを目的としてなされたものである。
【０００５】
【課題を解決するための手段】
本発明は、上下方向に移動可能に装着された左右に揉み輪を備えるマッサージ装置部を備えたマッサージ機において、身体を支持するマッサージ機の背もたれシートの裏面側に、マッサージ装置部において後部側に迂回する弾性ベルトを配設することによって上記課題を解決した。即ち、本発明は、左右に揉み輪を備えたマッサージ装置部が少なくともマッサージ機本体の上下方向に移動可能なマッサージ機において、マッサージ装置部のサイドフレームの上部および下部のそれぞれ前側と後側に、マッサージ装置部と共に上下動する回転自在なガイドローラーが装備され、マッサージ機本体の上下のフレーム間に、背もたれシートの裏面に沿った弾性ベルトが張設され、その弾性ベルトが上記マッサージ装置部の上部と下部の前後のガイドローラーに掛け渡され、マッサージ装置部の移動にともなって弾性ベルトがマッサージ装置部の背面を迂回するように構成されていることを特徴としているものである。
【０００６】
上記弾性ベルトは、経糸が伸縮性糸条でそして緯糸が非伸縮性糸条で織成された重厚な織物が好適である。ベルトの幅は上記したマッサージ装置部のフレームの幅寸法や揉み輪の横方向への移動範囲によって決定されるが、少なくとも身体の横幅寸法より大きくするとよい。
【０００７】
【発明の実施の形態】
図１は椅子型マッサージ機の本発明の実施の形態を示した要部の斜視図であって、１は椅子式マッサージ機本体、２はマッサージ装置部、３は背もたれ部、そして、４は背もたれシートの裏面側に張設された弾性ベルトである。
【０００８】
マッサージ装置部２は、図１および図２に示しているように、マッサージ機本体１の背もたれ部３のフレームを構成している左右のサイドレール５，５に沿って上下動可能に装着され、モーター６によって駆動されるピニオン７と上下方向に設けられたラック８の手段によって上下方向に移動されるようになっている。マッサージ装置部２の左右にはレバー９，９が設けられてこのレバー９の端部に揉み輪１０，１０を上下に支持したアーム１１，１１が装着され、モーターＭによってレバー９が揺動されて従来の装置と同様に、揉み、叩き、あるいは指圧風のマッサージ運動を行い得るようになっている。
【０００９】
本発明においては、図１、図２および図３に示しているように、マッサージ機本体１の背もたれ部３の背もたれシート２４の裏面側に弾性ベルト４が装備されている。この弾性ベルト４には、上下方向の糸が伸縮性糸条でそして幅方向の糸が非伸縮性糸条で織成された重厚な織物が用いられ、その上下端部が背もたれ部３の上下のフレーム１９，１９に固着されて緊張状態で張設されている。そして図１および図３に示しているように、マッサージ装置部２のサイドフレーム１２，１２の上部および下部のそれぞれ前側と後側に、マッサージ装置部２と共に上下動する回転自在な４本のガイドローラー２０，２１および２２，２３が設けられ、上記弾性ベルト４を図示しているようにその中間部においてこの上部と下部の前後一対のガイドローラー２０，２１および２２，２３に掛け渡し、弾性ベルト４の中間部をマッサージ装置部２において後部側に迂回させている。
【００１０】
したがって、マッサージ装置部２の位置する部分では弾性ベルト４はマッサージ装置部２の後側に沈んでいるが、マッサージ装置部２の上下においては背もたれ部の背もたれシート２４と重なる状態となる。そしてマッサージ装置部２が上下方向へ移動すると、図３に示すように、その移動にともなって弾性ベルト４が緊張状態を維持しながらマッサージ装置部２の背面を迂回している状態となるとともに、マッサージ装置部２の上下の部分においては弾性ベルト４は背もたれシート２４の裏面側に沿って位置した状態となる。
【００１１】
なお、上記実施の形態においては、椅子型マッサージ機について本発明を説明しているが、本発明の上記構成は寝台型のマッサージ機にも適用できることは勿論である。
【００１２】
上記したマッサージ装置２は、図１、図２、図４および図５に示しているように、マッサージ装置部２を支持している左右のフレーム１２，１２の上下に平行に配したスライドレール１３，１３に横方向に移動自在に装架されている。そして上記上下のスライドレール１３，１３間には、スライドレール１３と平行して螺軸１４が配設され、この螺軸１４に、マッサージ装置部２の背面側に設けられ外周がウォーム歯車構造となっているナット体１５が嵌入螺合され、マッサージ装置部２に設けられた横動用モーター１６によってナット体１５のウォーム歯車部１７に噛み合うウォーム１８を正または逆に回転させ、それによってナット体１５を正または逆に回転させることにより、図３に示しているようにマッサージ装置部２を横方向に移動させることができるようになっている。
【００１３】
しかしながら、マッサージ装置部２を横方向に移動可能に支持するためのスライドレール１３の形状や構造には特に限定を要するものではなく、マッサージ装置部を軽快に横動させることができるものであればよい。また、マッサージ装置部２の横動範囲の制御は、例えばスライドレール１３の両端部にリミットスイッチ（図示せず）を配設し、一端部のリミットスイッチが動作するとマッサージ装置部２が戻り移動をするように構成しておくとよい。
【００１４】
上記した横動用モーター１６の回転制御は、図示を省略しているが従来同様に、上下動操作や揉み種類の選択操作と併せて機台に配設したタッチ式のスイッチ制御部３７や機台から引きだしたコードに取り付けられたスイッチ操作器によって、選択的に制御するとよい。
【００１５】
【発明の効果】
本発明は、左右に揉み輪１０を備えたマッサージ装置部２が少なくとも上下方向に移動可能なマッサージ機において、マッサージ装置部２のサイドフレーム１２の上部および下部のそれぞれ前側と後側に、マッサージ装置部２と共に上下動する回転自在なローラー２０，２１および２２，２３が装備され、マッサージ機本体１の上下のフレーム１９，１９間に、マッサージ機本体の背もたれ面の背もたれシート２４の裏面に沿った弾性ベルト４が緊張状態で張設されて、その弾性ベルト４が上記マッサージ装置部２の上部と下部の前後のローラー２０，２１および２２，２３に掛け渡され、マッサージ装置部２の移動にともなって弾性ベルト４がマッサージ装置部２の背面を迂回するように構成されているから、マッサージ装置部２が位置していない空洞部分に緊張された弾性ベルト４が存在して身体の支持作用なし、マッサージ装置部２が通過する都度身体が前後方向に揺動（浮き沈み）する度合いが少なくなり無理なくマッサージを遂行できるなど実用上有益な効果を発揮する。
【図面の簡単な説明】
【図１】本発明の実施例を示した椅子式マッサージ機の斜視図である。
【図２】マッサージ装置部の拡大斜視図である。
【図３】弾性ベルトの張設状態を示した簡略側面図である。
【図４】マッサージ装置部の横動手段の一部を示した平面図である。
【図５】マッサージ装置部の横動機構の一部を示した斜視図である。
【符号の説明】
１    マッサージ機本体
２    マッサージ装置部
３    背もたれ部
４    弾性ベルト
１２  サイドフレーム
１９  マッサージ機本体の上下のフレーム
２０，２１，２２，２３  弾性ベルトのガイドローラー
２４  背もたれシート
【図１】
0003682560.tif 000002
【図２】
0003682560.tif 000003
【図３】
0003682560.tif 000004
【図４】
0003682560.tif 000005
【図５】
0003682560.tif 000006